【事件の表示】
　特願２００４−３６０４７０「タイマ装置」拒絶査定不服審判事件〔平成１７年　４月２１日出願公開、特開２００５−１１０３１３〕について、次のとおり審決する。
【結　論】
　本件審判の請求は、成り立たない。
【理　由】
第１．手続の経緯
　本願は、平成１０年３月１３日に出願した特願平１０−６３４８１号（優先権主張平成９年１０月３１日）の一部を平成１６年１２月１３日に新たな特許出願としたものであって、平成１８年５月２６日付けで拒絶の理由が通知され、同年７月２６日付けで手続補正がなされ、平成１９年４月３日付けで最後の拒絶の理由が通知され、同年６月５日付けで手続補正がなされ、同年１１月９日付けで同年６月５日付けの手続補正が却下されるとともに拒絶査定がなされ、これに対し、同年１２月１４日に拒絶査定に対する審判請求がなされるとともに手続補正がなされたものである。
　
第２．補正却下の決定
［補正却下の決定の結論］
　平成１９年１２月１４日付けの手続補正を却下する。
　
［理由］
１．本件補正
　本件補正は、平成１８年７月２６日付け手続補正に係る明細書の特許請求の範囲の請求項１について、次のように補正することを含むものである。
　
（１）補正前の発明
「内部を一対の隔壁を介して区画することによって中央に形成された回路部品収納室と、底面に電線挿入孔が形成されて前記回路部品収納室の側方の少なくとも一方に自己鎖錠片が設けられる端子収納室とを有し、上端が開放される箱状のボディと；
　フラッシュプレートの窓孔から露出するための突出した内部が中空のボス部を備え、ボディの開放端に覆合されるカバーと；
ボディとカバーとからなり、短方向の外形寸法が規格化された取付枠の細長い取付孔の長手方向のほぼ１／３であるケースと；
　ケースの上面に配設された操作部と；
　整流回路と電解コンデンサとを含むパワー系回路素子及びボディの電線挿入孔に対向する端子金具を備える負荷回路用電子スイッチ回路を有し、比較的背の高いパワー系回路素子はボディの回路部品収納室に収納されるように下面に実装され、端子金具はボディの隔壁によって前記回路部品収納室のパワー系回路素子と隔離してボディの端子収納室に収納されるように下面に実装されている第１の配線基板と；
　負荷回路用電子スイッチ回路の整流回路及び電解コンデンサからの制御電源が供給されて負荷回路用電子スイッチ回路のスイッチングを制御するタイマ制御回路と、上面に実装された操作部の操作に連動する可変部材とを有し、第１の配線基板の上方に離間した状態でボス部内に配設された第２の配線基板と；
を具備することを特徴とするタイマ装置。」　
　
　（２）補正後の発明
「内部を一対の隔壁を介して区画することによって中央に形成された回路部品収納室と、底面に電線挿入孔が形成されて前記回路部品収納室の側方の少なくとも一方に自己鎖錠片が設けられる端子収納室とを有し、上端が開放される箱状のボディと；　
中央部に前記ボディの開放端の長手方向においてこの開放端の幅寸法よりも狭い規格化されたフラッシュプレートの窓孔から露出する内部が中空のボス部およびこのボス部の左右両側に一対の取付枠装着部を備え、
カバーのボス部の露出面に
他の実装部品と比較して相対的に
ボディの開放端を塞ぐように位置
ボス部の露出面に配設
実装する
第１の配線基板よりも長手方向の寸法が小さく形成されて、かつ
第１の配線基板と第２の配線基板との間を接続するリード線と；
　
２．新規事項の有無、補正の目的要件について
　上記補正は、願書に最初に添付した明細書又は図面に記載した事項の範囲内において、補正前の特許請求の範囲の請求項１に記載された発明特定事項を、前記アンダーラインで示した補正箇所のとおりに限定することにより、特許請求の範囲を減縮するものであるから、平成１４年法律第２４号改正附則第３条第１項によりなお従前の例によるとされる同法による改正前の特許法第１７条の２第３項（新規事項）、及び平成１４年法律第２４号改正附則第２条第１項によりなお従前の例によるとされる同法による改正前の特許法第１７条の２第４項（補正の目的）の規定に適合している。
　　
３．独立特許要件について
　上記補正は特許請求の範囲の減縮を目的とするものであるから、上記補正後の発明が特許出願の際独立して特許を受けることができるか否かについて以下に検討する。
　
（１）補正後の発明
　上記１．（２）で認定したとおりである。
　
（２）引用例
Ａ．原査定の拒絶理由に引用された特開平７−２９６６９４号公報（以下、「引用例１」という。）には、「電子スイッチ」の発明に関し、図面とともに以下の事項が記載されている。
「【０００１】
【産業上の利用分野】本発明は、主として浴室の換気に用いられる換気扇を負荷として操作するための電子スイッチに関するものである。
【０００２】
【従来の技術】従来より、換気扇Ｆを一定時間だけ動作させる電子スイッチとして、図１６に示すような構成のものが特開平５−１０２８１７号公報等によってすでに知られている。この電子スイッチは、商用電源である交流電源ＡＣおよび換気扇Ｆにスイッチ要素としてのトライアックＱ0 を直列接続し、逆直列に接続したツェナーダイオードＺＤ1 ，ＺＤ2 とフォトカプラＰＣ0 の受光素子であるフォトトライアックＰＴ0 と抵抗Ｒ0 との直列回路をトライアックＱ0 に並列接続し、さらに、フォトトライアックＰＴ0 と抵抗Ｒ0 との接続点にトライアックＱ0 のゲートを接続してある。また、トライアックＱ0 の両端間には全波整流器であるダイオードブリッジＤＢ0 の交流側端子を接続し、ダイオードブリッジＤＢ0 の直流側端子に電源回路２′を接続することで、電源回路２′からタイマ制御回路３への給電を行なうようにしてある。タイマ制御回路３の出力にはフォトカプラＰＣ0の発光素子である発光ダイオードＰＥ0 が接続され、発光ダイオードＰＥ0 の点灯期間にトライアックＱ0 がオンになるようにしてある。また、電源回路２′には起動用のスイッチＳＷ0 が設けられ、スイッチＳＷ0 を操作することで、タイマ制御回路３への給電が開始され、タイマ制御回路３では設定された一定時間だけ発光ダイオードＰＥ0 を点灯させることで、換気扇Ｆを一定時間だけ作動させるように制御する。」（２頁２欄）
　
「【００１５】
【実施例】
（実施例１）本実施例では、負荷としての換気扇ともに照明負荷も接続できるようにした電子スイッチを例示する。図１に示すように、外部回路を接続する端子としては、商用電源の一端に接続される電源端子Ｔ1 と、換気扇の一端に接続される制御端子Ｔ2 と、照明負荷の一端に接続される照明端子Ｔ3 との３端子を備えている。電源端子Ｔ1 と制御端子Ｔ2 との間には、コンデンサＣ1 とインダクタＬ1 とからなるノイズフィルタを介してスイッチ素子としてのトライアックＱ1 が挿入され、トライアックＱ1 が導通すると電源から換気扇に給電されるようにしてある。また、電源端子Ｔ1 と制御端子Ｔ2 との間にはバリスタなどのサージ吸収素子ＺＮＲが接続されている。
【００１６】トライアックＱ1 には、一対の抵抗Ｒ1 ，Ｒ2 の間にフォトカプラＰＣの受光素子となるフォトトライアックＰＴを直列接続した直列回路が並列接続され、抵抗Ｒ1 とフォトトライアックＰＴとの接続点はトライアックＱ1 のゲートに接続される。また、一方の抵抗Ｒ1 にはコンデンサＣ2 が並列接続される。フォトカプラＰＣの発光素子である発光ダイオードＰＥは抵抗Ｒ3 を介してトランジスタＱ2 のエミッタ−コレクタ間に直列接続され、このトランジスタＱ2 は後述する制御回路１によりオン・オフが制御される。
【００１７】ところで、トライアックＱ1 の両端間には電源回路２が接続される。この電源回路２は、トライアックＱ1 の両端が交流側端子に接続されたダイオードブリッジＤＢと、ダイオードブリッジＤＢの直流側端子に接続された直列制御型の定電圧回路２ａ（たとえば、１００Ｖから１７Ｖに降圧する）と、集積回路よりなる３端子レギュレータ２ｂ（たとえば、１７Ｖから５Ｖに降圧する）とを備え、さらに３端子レギュレータ２ｂの入力側と出力側とにはそれぞれ平滑用のコンデンサＣ3 ，Ｃ4 が接続される。この構成では、トライアックＱ1 がオフである期間に電源回路２に給電されるのであって、後述するように、商用電源の電圧波形の半サイクル毎にゼロクロス点から一定時間だけトライアックＱ1 をオフにすることで、電源回路２への給電を行ない、電源回路２の出力がほぼ一定に保たれるようにしてある。この電源回路２により制御回路１への給電がなされる。」（４頁５〜６欄）
　
「【００２４】次に、図２を参照しながら上記回路部を納装する器体１０について説明する。上記回路部を構成する電子部品はプリント配線板に実装され合成樹脂の器体１０に納装される。ここで、動作表示灯ＬＤ1 、残時間表示灯ＬＤ2 〜ＬＤ5 、位置表示灯ＬＤ8 は、器体１０の前面に開口する複数個の表示孔１１にそれぞれ臨み、各表示孔１１を通して器体１０の外部から点灯・消灯の状態を視認できるように配置される。また、可変抵抗器ＶＲ1 は操作つまみ１２が器体１０の前面上部に露出し、さらに連続動作スイッチＳＷ1 、タイマ動作スイッチＳＷ2 、照明用スイッチＳＷ4 の操作部にそれぞれ対応するスイッチハンドル１３1 ，１３2 ，１３4 が器体１０の前面に設けられている。各スイッチハンドル１３1 ，１３2，１３4 は、それぞれ一端部を器体１０に一体に連続させるとともに、残りの周部と器体１０との間に隙間を設けて形成されており、スイッチハンドル１３1 ，１３2 ，１３4 の他端部に対応する位置に連続動作スイッチＳＷ1 、タイマ動作スイッチＳＷ2 、照明用スイッチＳＷ4 の各操作部を配置して、スイッチハンドル１３1 ，１３2 ，１３4 に押力を作用させたときに、対応するスイッチが押操作されるようにしてある。ここにおいて、各スイッチハンドル１３1 ，１３2 ，１３4 において押力を作用させる部位には器体１０の前面よりも前方に突出する釦部１４1 ，１４2 ，１４4 が形成されている。
【００２５】器体１０の前面には、操作つまみ１２に対応する部位を除いて全面に亙ってメンブレンシート２１を前面側に被着した化粧カバー２０が覆着される。化粧カバー２０には各表示窓１１および釦部１４1 ，１４2 ，１４4 に対応する部位が前後に貫通する。また、メンブレンシート２１は、可撓性を有する透明ないし半透明の合成樹脂シートであって、スイッチハンドル１３1 ，１３2 ，１３4 の釦部１４1 ，１４2 ，１４4 に対してメンブレンシート２１を介して押力を作用させることができ、かつ動作表示灯ＬＤ1 、残時間表示灯ＬＤ2 〜ＬＤ5 、位置表示灯ＬＤ8 の点灯・消灯の状態をメンブレンシート２１を介して視認できるようになっている。この化粧カバー２０は、後面側に突設された結合爪（図示せず）を器体１０の前部周面に設けた結合凹所１５に凹凸係合させることで、器体１０に保持される。このように、メンブレンシート２１を被着した化粧カバー２０を器体１０の前面に覆着したことによって、器体１０の開口部分からの埃の侵入を防止することができ防塵性が保たれるのである。
【００２６】ところで、器体１０は、図２に示すように、前面開口したボディ１６と、ボディ１６の前面側に結合される後面開口したカバー１７とを互いに係合させたものであって、ＪＩＳ規格等により規格化されている大角形３個用の取付枠に３個まで取着される単位寸法の配線器具の３個分の寸法に相当する寸法に形成される。この器体１０は、合成樹脂により形成された大角形３個用の取付枠３０に取着され、取付枠３０はスイッチボックスのように壁面等に埋め込まれた埋込ボックス５０に取り付けられる。すなわち、取付枠３０は、中央部に形成されている矩形状の開口窓３１の周部後面に保持片３２が突設され、この保持片３２に形成された保持孔３３に対して器体１０に設けた取付爪１８が挿入係合されることによって、器体１０が取付枠３０に保持されるようにしてある。取付枠３０の上下両辺にはそれぞれボックスねじ５１が挿通される長孔状の固定孔３４が形成され、この固定孔３４を通して埋込ボックス５０の舌片５２に螺合するボックスねじ５１によって取付枠３０が埋込ボックス５０に取着されるのである。
【００２７】さらに、取付枠３０の上下両辺にはねじ孔であるプレート取付孔３５も形成され、化粧プレート４０の下枠４１に挿通されたプレートねじ４２がプレート取付孔３５に螺合することによって、下枠４１が取付枠３０に結合されるようになっている。下枠４１の周部前面には外側が後方に下がった段差部４３が形成されており、また下枠４１の周部にはプレート保持孔４４が形成されている。下枠４１の前面側は化粧枠４５で覆われ、化粧枠４５の後面側に突設された保持爪（図示せず）がプレート保持孔４４に係合することによって、下枠４１に対して化粧枠４５が保持されるようにしてある。ここに、下枠４１の周部に段差部４３を形成することによって、下枠４１に対する化粧枠４５の位置ずれを防止し、かつ下枠４１と化粧枠４５との間に隙間ができないようにしてある。化粧枠４５は下枠４１に対して保持爪で係合しているだけであるから、下枠４１と化粧枠４５との間にマイナスドライバの先端部などを挿入することで、化粧枠４５を下枠４１から取り外すこともできるようにしてある。化粧枠４５には、上記化粧カバー２０の外周形状に一致する内周形状を有した開口窓４６が形成され、開口窓４６を通して化粧カバー２０が前面側に露出するのである。
【００２８】（実施例２）上記実施例では、換気扇としてオン・オフの制御のみが行なえるものを用いる例を示したが、本実施例では、換気扇として換気能力が２段階に設定できるものを用いる例を示す。すなわち、換気扇は、換気能力を高くする強端子と、換気能力を低くする弱端子と、強端子への給電時と弱端子への給電時とに共用される共通端子との３端子を備え、共通端子と強端子との間に通電すれば換気能力が高く設定され、共通端子と弱端子との間に通電すれば換気能力が低く設定されるようになっている。この種の換気扇の構成には各種のものが知られているが、たとえば、駆動源に誘導電動機を用いる場合には、誘導コイルにタップを設けたものなどを用いることができる。
【００２９】しかして、電子スイッチも換気扇に対して３端子が必要とされるのであって、図３に示すように、電源端子Ｔ1 、強制御端子Ｔ21、弱制御端子Ｔ22を換気扇用として設けてある。すなわち、実施例１においては制御端子Ｔ2 を１個だけ設けていたのに対して、本実施例では強制御端子Ｔ21、弱制御端子Ｔ22との２個の端子を設けているのである。このため、強制御端子Ｔ21および弱制御端子Ｔ22と電源端子Ｔ1 との間にそれぞれスイッチ素子としてのトライアックＱ11，Ｑ12をノイズフィルタを介して挿入してある。ここに、トライアックＱ11，Ｑ12の一端は共通接続され、ノイズフィルタを構成するインダクタＬ1 を介して電源端子Ｔ1に接続される。電源回路２は、トライアックＱ11の両端に接続されるが、両トライアックＱ11，Ｑ12がともにオフである期間には、交流電源から換気扇の共通端子と強端子とを通して電流が流れるから、実施例１と同様に動作する。」（６頁９欄〜７頁１１欄）
　
「【００３４】ところで、上述した回路部は、図７ないし図１０に示すように２枚のプリント配線板６１，６２に分割して実装される。各プリント配線板６１，６２は両面配線基板であって、図１２に示すように、それぞれボディ１６とカバー１７とに分割して納装され、それぞれ固定ねじ６３を用いてボディ１６およびカバー１７に固定される。また、両プリント配線板６１，６２の間の電気的接続には、両端部を合成樹脂の支持体６４で結束した複数本のジョイント線６５が用いられる。このジョイント線６５は、図１１に示すように、一方の端部を表面側に折り返して略９０度に交差させ、他方の端部を裏面側に折り返して略９０度に交差させることによって、もっとも内側のジョイント線６５が残りのジョイント線６５の外側を囲むようにしてある。各ジョイント線６５は単線であって、ジョイント線６５の各端部では支持体６４よりも先端側で導電部が露出するから、導電部の露出部位を各プリント配線板６１，６２に挿通して半田付けすることにより、両プリント配線板６１，６２の間での電気的接続がなされるのである。一方のプリント配線板６１においてボディ１６の後壁との対向面には、図１３のように、電源端子Ｔ1 、強制御端子Ｔ21、弱制御端子Ｔ22、照明用端子Ｔ3 である速結端子７０が実装される。速結端子７０は、プリント配線板６１に半田により実装された断面略コ形の端子板７１と、端子板７１の中に配置されコ字の一方の脚片との間に電線を挟持する鎖錠ばね７２と、端子板７１と鎖錠ばね７２との間に挟持された電線を引き抜く際に鎖錠ばね７２を撓ませる解除釦７３とからなる周知の構成を有している。鎖錠ばね７２は、ばね材料の帯板の長手方向の一端部をＪ字状に曲成して鎖錠片７２ａを形成し、他端部をＳ字状に曲成して接触片７２ｂを形成したものであって、端子板７１との間に鎖錠片７２ａ側から電線を導入すると、接触片７２ｂと端子板７１との間に電線が挟まれて電気的接触が確保され、かつ鎖錠片７２ａの先端縁が電線に食い込むことによって電線が抜けないように保持されるのである。解除釦７３は、鎖錠片７２ａの一部に対向し、解除釦７３に対して押力を作用させると、解除片７２ａが端子板７１から離れる向きに撓んで電線を引き抜くことができるのである。ここに、ボディ１６の後壁には、端子板７１と鎖錠ばね７２との間に電線を導入するための電線挿入孔７４（図６参照）が穿孔され、また解除釦７３に対応する部位にはマイナスドライバの先端部などで解除釦７３に押力を作用させることができるように釦操作孔７５（図６参照）が穿設されている。この速結端子７０は、図１４に示すように、ボディ１６に形成された端子収納室１９に納装されるのであって、この状態でプリント配線板６１をボディ１６に固定し、速結端子７０をプリント配線板６１に実装すればよい。
【００３５】本実施例の外観は、図４ないし図６に示す通りであって、図４のように、実施例１の構成に加えて、強弱切換スイッチＳＷ3 に対応する操作部２２3 と、強動作表示灯ＬＤ6 および弱動作表示灯ＬＤ7 にそれぞれ対応した表示窓２３6 ，２３7 とをメンブレンシート２１に設けた構成になっている。すなわち、連続動作スイッチＳＷ1 、タイマ動作スイッチＳＷ2 、照明用スイッチＳＷ4 にそれぞれ対応する操作部２２1 、２２2 、２２4 および動作表示灯ＬＤ1 、残時間表示灯ＬＤ2 〜ＬＤ5 、位置表示灯ＬＤ8 にそれぞれ対応する表示窓２３1 〜２３5 、２３8 に加えて、上記操作部２２3 と表示窓２３6 ，２３7 とを備えるのである。また、図６に示すように、器体１０の背面には４個の電線挿入孔７４が設けられ、それぞれが電源端子Ｔ1 、強制御端子Ｔ21、弱制御端子Ｔ22、照明端子Ｔ3に対応する。」（７頁１２欄〜８頁１３欄）　
　
　引用例１の電子スイッチは、換気扇を一定時間だけ動作させるものであるから、タイマ装置であるといえる。
　引用例１の図１４及び【００３４】の記載からすれば、ボディの内部には一対の隔壁により区画されており、端子収納室が形成されている。それ以外のボディ内部の空間には、回路部品が収納されるわけであるから、その空間を「回路部品収納室」と呼ぶとすると、回路部品収納室は、ボディの中央付近に形成されており、端子収納室は回路部品収納室の手前に形成されていることになる。
　引用例１の図２及び【００２６】の記載からすれば、器体の左右両側には、取付枠を装着するための取付爪が設けられているので、この取付爪が設けられた部分は取付枠装着部であるといえる。
　引用例１の図９を参照すると、プリント配線板６１の下面には、他の実装部品と比較して相対的に背の高い回路素子が実装されていることが見てとれる。
　また、引用例１の図７、図１２を参照すると、プリント配線板６２の上面には複数のスイッチが実装されており、図４を参照すると、化粧カバーの上面の操作部を操作することによりプリント配線板６２上のスイッチが操作されるものである。また、プリント配線板６２は、プリント配線板６１よりも寸法が小さく形成されていることも見てとれる。
　引用例１の電子スイッチの回路図は、図１、図３に記載されているが、トライアックは、換気扇への給電を制御する電子スイッチとして機能するものであり、また、トライアックの両端間に接続される電源回路２には、ダイオードブリッジと平滑用のコンデンサが含まれている。
　ここで、トライアックを含む回路と電源回路２とを合わせた回路を、「換気扇用電子スイッチ回路」と呼ぶことにする。
　また、制御回路１を含む回路部分はタイマ制御の機能を有しているので、電子スイッチのスイッチングを制御するタイマ制御回路であるといえる。そして、タイマ制御回路の制御電源は、電源回路２から供給されるものである。
　
　したがって、引用例１には、以下の発明（以下、「引用例１発明」という。）が開示されているものと認められる。
　
　「内部を一対の隔壁を介して区画することによって中央付近に形成された回路部品収納室と、底面に電線挿入孔が形成されて前記回路部品収納室の手前に鎖錠ばねが設けられる端子収納室とを有し、上端が開放される箱状のボディと；
　化粧枠の開口窓から露出するための化粧カバーが覆着され、ボディの開放端に覆合されるカバーと；
　ボディとカバーとからなり、左右両側に取付枠装着部を備え、短方向の外形寸法が規格化された取付枠の細長い取付孔の長手方向にほぼ等しい長さの器体と；
　化粧カバーの上面に配設された操作部と；
　他の実装部品と比較して相対的に背の高い回路素子はボディの回路部品収納室に収納されるように下面に実装され、速結端子はボディの隔壁によって前記回路部品収納室の回路素子と隔離してボディの端子収納室に収納されるように下面に実装され、ボディの開放端を塞ぐように位置しているプリント配線板６１と；
　化粧カバーの上面に配設された操作部の操作に連動するスイッチを実装する、プリント配線板６１よりも寸法が小さく形成されて、かつプリント配線板６１の上方に離間した状態でカバー内に配設されたプリント配線板６２と；
　プリント配線板６１とプリント配線板６２との間を接続するジョイント線と；を具備し、
　電子スイッチの回路部は、換気扇用電子スイッチ回路とタイマ制御回路とからなり、換気扇用電子スイッチ回路は、トライアックを含む回路と、ダイオードブリッジと平滑用コンデンサを含む電源回路であり、タイマ制御回路は電源回路からの制御電源が供給されて換気扇用電子スイッチ回路のスイッチングを制御するものであり、プリント配線板６１とプリント配線板６２とに分割して実装されるタイマ装置。」
　
Ｂ．原査定の拒絶理由に引用された特開平８−２２７６４４号公報（以下、「引用例２」という。）には、「タイマスイッチ」の発明に関し、図面とともに以下の事項が記載されている。
「【０００１】
【発明の属する技術分野】本発明は、電路のオン又はオフ操作から所望時間経過後、自動的に電路のオフ又はオン動作を行わせるタイマスイッチに関する。」（２頁１欄）
　
「【０００７】
【発明の実施の形態】以下、本発明の一実施形態を図面を参照しつつ詳しく説明する。図１乃至図８は、この発明にかかるタイマスイッチの一実施形態をあらわしている。これらの図にみるように、このタイマスイッチ１は、上面及び側面に開口部分を有する箱状のボディ２を備え、このボディ２の両端側には端子板１３，１４が配設される端子収納部１３Ａ，１４Ａを、この両収納部１３Ａ，１４Ａ間の器体中央にタイマブロック３を収納するタイマ収納部３Ａを夫々設け、タイマブロック収納部３Ａの深さを端子収納部１３Ａ，１４Ａの深さよりも深くしてある。ボディ２の上面開口部は、ボディカバー４が被着されている。ボディ２とボディカバー４とは、組み立て枠６，６によって組み付けて器体を構成しており、器体の大きさは埋め込み型配線器具の１個用モジュール寸法に対応させている。そして組み立枠６，６には埋め込み配設用に用いる合成樹脂製の取付枠（図示せず）に取り付けるための係止爪６ａや金属製の取付枠（図示せず）に対応した係止凹部６ｂを設けてある。」（２頁２欄〜３頁３欄）
　
　したがって、引用例２には、以下の発明（以下、「引用例２発明」という。）が開示されているものと認められる。
　
　「器体の大きさを埋め込み型配線器具の１個用モジュール寸法としたタイマスイッチにおいて、タイマブロック収納部をボディの中央とし、端子収納部をタイマブロック収納部の両側に配置すること。」
　
（３）対比
　引用例１発明と補正後の発明とを対比する。
　引用例１発明の「鎖状ばね」「化粧枠」「開口窓」「器体」「速結端子」「プリント配線板」「スイッチ」「ジョイント線」「換気扇用電子スイッチ回路」「ダイオードブリッジ」「平滑用コンデンサ」は、補正後の発明の「自己鎖錠片」「フラッシュプレート」「窓孔」「ケース」「端子金具」「配線基板」「可動部材」「リード線」「負荷回路用電子スイッチ回路」「整流回路」「電解コンデンサ」にそれぞれ相当する。
　また、引用例１発明の「プリント配線板６１」は、ボディの開放端を塞ぐように位置している点で、補正後の発明の「第１の配線基板」と共通しており、引用例１発明の「プリント配線板６２」は、「第１の配線基板」の上方に離間した状態で配設されている点で、補正後の発明の「第２の配線基板」と共通している。
　　
　したがって、補正後の発明と引用例１発明とは、
　「内部を一対の隔壁を介して区画することによって形成された回路部品収納室と、底面に電線挿入孔が形成されて自己鎖錠片が設けられる端子収納室とを有し、上端が開放される箱状のボディと；
　ボディの開放端に覆合されるカバーと；
　ボディとカバーとからなるケースと；
　露出面に配設された操作部と；
　他の実装部品と比較して相対的に背の高い回路素子はボディの回路部品収納室に収納されるように下面に実装され、端子金具はボディの隔壁によって前記回路部品収納室の回路素子と隔離してボディの端子収納室に収納されるように下面に実装され、ボディの開放端を塞ぐように位置している第１の配線基板と；
　露出面に配設された操作部の操作に連動する可変部材とを実装する、第１の配線基板よりも長手方向の寸法が小さく形成されて、かつ第１の配線基板の上方に離間した状態で配設された第２の配線基板と；
　第１の配線基板と第２の配線基板との間を接続するリード線と；を具備し、
　負荷回路用電子スイッチ回路とタイマ制御回路とを有し、
　負荷回路用電子スイッチ回路は、整流回路と電解コンデンサとを含むパワー系回路素子を有し、タイマ制御回路は、負荷回路用電子スイッチ回路の整流回路及び電解コンデンサからの制御電源が供給されて負荷回路用電子スイッチ回路のスイッチングを制御するものであるタイマ装置。」である点で一致し、以下の点で相違する。
　
［相違点１］
　補正後の発明は、回路部品収納室をボディの中央に形成し、端子収納室を回路部品収納室の側方の少なくとも一方に形成するものであるのに対し、引用例１発明は、回路部品収納室をボディの中央付近に形成し、端子収納室を回路部品収納室の手前に形成するものである点。
［相違点２］
　補正後の発明のカバーは、中央部に前記ボディの開放端の長手方向においてこの開放端の幅寸法よりも狭い規格化されたフラッシュプレートの窓孔から露出する内部が中空のボス部を備えるのに対して、引用例１発明のカバーはボス部を備えない点。
［相違点３］
　一対の取付枠装着部について、補正後の発明はボス部の左右両側に備えられるのに対して、引用例１発明はケースの左右両側に備えられるものである点。
［相違点４］
　ケースの外形について、補正後の発明は、短方向の外形寸法が規格化された取付枠の細長い取付孔の長手方向のほぼ１／３であるのに対して、引用例１発明は、縦方向の外形寸法が規格化された取付枠の長手方向にほぼ等しい長さである点。
［相違点５］
　操作部について、補正後の発明は、カバーのボス部の露出面に配設されるのに対して、引用例１発明は、化粧カバーの上面に配設される点。
［相違点６］
　「他の実装部品と比較して相対的に背の高い回路素子」が、補正後の発明では、整流回路と電解コンデンサとを含むパワー系回路素子であるのに対して、引用例１発明では、そのように特定されたものではない点。
［相違点７］
　第２の配線基板について、補正後の発明は、ボス部内に配設されるのに対して、引用例１発明では、カバー内に配設される点。
［相違点８］
　回路の実装について、補正後の発明は、負荷回路用電子スイッチ回路は第１の配線基板に実装し、タイマ制御回路は第２の配線基板に実装するのに対して、引用例１発明は、負荷回路用電子スイッチ回路とタイマ制御回路とを第１の配線基板と第２の配線基板とに分割して実装する点。
　
（４）判断
　上記相違点について検討する。
［相違点２〜５、７］について
　埋め込み型の配線器具に用いられる装置において、装置の外形を短方向の外形寸法が規格化された取付枠の細長い取付孔の長手方向のほぼ１／３にすることや、カバーの中央部にフラッシュプレートの窓孔から露出する内部が中空のボス部を設け、取付枠装着部をボス部の左右両側に備えることは、例えば、特開昭５９−４４７０５号公報、特開平４−２９９０１１号に示されているように周知事項である。また、フラッシュプレートの窓孔を規格化されたものとすることは技術常識である。
　補正後の発明のタイマ装置は、埋め込み型の配線器具に用いられる装置であるから、当該周知事項及び技術常識を考慮すれば、相違点２〜４に係る構成を採用することに困難性は認められない。
　また、装置に操作部を配設する際に、カバーのボス部に配設することは、ボス部がフラッシュプレートから露出するものであるから通常の構成であり、相違点５に係る構成を採用することにも困難性は認められない。
　また、カバーの中央部に中空のボス部を設けた場合に、カバー内に配設する第２の配線基板をボス部内に配設するようにすることは当然のことであり、相違点７に係る構成を採用することにも困難性は認められない。
　
［相違点１］について
　埋め込み型配線器具に用いられるタイマにおいて、端子収納部をタイマブロック収納部の両側に配置することが、引用例２に開示されている。
　引用例１発明において、端子収納室を回路部品収納室の側方に配置するようにすることは、引用例２の開示を参照すれば、当業者が容易になし得ることである。
　
［相違点６］について
　パワー系回路素子は、パワー系でない回路素子に比較して大型であり、背の高いものであることは技術常識である。したがって、「他の実装部品と比較して相対的に背の高い回路素子」として、整流回路と電解コンデンサとを含むパワー系回路素子を特定することは格別のことではない。
　
［相違点８］について
　回路を複数の配線基板に分割して実装する場合に、どの回路部分をどの配線基板に実装するかは、実装の容易性、雑音の低減、配線基板間のリード線の数等の種々の要因を考慮して当業者が適宜決定する設計的事項であり、負荷回路用電子スイッチ回路は第１の配線基板に実装し、タイマ制御回路は第２の配線基板に実装したことに困難性は認められない。
　　　
（５）まとめ
　以上のとおり、補正後の発明は、引用例１発明、引用例２発明、周知事項及び技術常識に基づいて、当業者が容易に発明できたものであるから、特許法第２９条第２項の規定により、特許出願の際独立して特許を受けることができないものである。
　
４．むすび
　したがって、本件補正は、平成１８年法律第５５号改正附則第３条第１項によりなお従前の例によるとされる同法による改正前の特許法第１７条の２第５項の規定において準用する特許法第１２６条第５項の規定に違反するので、同法第１５９条第１項において読み替えて準用する同法第５３条第１項の規定により却下すべきものである。
　
第３．本願発明について
１．本願発明
　平成１９年１２月１４日付けの手続補正は上記のとおり却下されたので、本願の請求項１に係る発明（以下、「本願発明」という。）は、平成１８年７月２６日付けの手続補正書により補正された明細書及び図面の記載からみて、その特許請求の範囲の請求項１に記載されたとおりのもの（第２．１．（１）補正前の発明、参照）と認められる。
　　
２．引用例
　引用例１発明及び引用例２発明は、上記第２．３．（２）で認定したとおりである。
　
３．対比・判断
　本願発明は上記補正後の発明から当該補正に係る限定を省いたものである。
　そうすると、本願発明の構成に当該補正に係る限定を付加した補正後の発明が、上記第２．３．（３）で検討したとおり、引用例１発明、引用例２発明、周知事項及び技術常識に基づいて当業者が容易に発明できたものであるから、本願発明も同様の理由により、当業者が容易に発明できたものである。
　
４．むすび
　以上のとおり、本願発明は、引用例１発明、引用例２発明、周知事項及び技術常識に基づいて当業者が容易に発明をすることができたものと認められるから、特許法第２９条第２項の規定により特許を受けることができない。
　よって、結論のとおり審決する